(57)【要約】【目的】  キャンドルを直接食品に差すことにより食品の美観を損ねてしまうのを防止し、且つ、食品の周囲に多数のキャンドルを差す労力を軽減することを特徴とする。【構成】  キャンドル支持装置１０は、菓子等の食品上に載置若しくは差し込み可能なベース部材１１と、このベース部材１１に複数設けられ、それぞれキャンドル２１を支持可能なキャンドル支持部１７とを備える。ベース部材１１にメッセージ表示部１５を設ける。ベース部材１１は、所定の間隔を存して複数形成された係合孔１３を備える。キャンドル支持部１７は、係合孔１３に係脱自在に係合する係合ピン１８と、キャンドル２１が装着される支持ピン１９とを備える。【選択図】        図１
2005056691.tif 000002
【特許請求の範囲】
【請求項１】
菓子等の食品上に載置若しくは差し込み可能なベース部材と、該ベース部材に複数設けられ、それぞれキャンドルを支持可能なキャンドル支持部とを備えて成るキャンドル支持装置。
【請求項２】
前記ベース部材にメッセージ表示部を設けたことを特徴とする請求項１のキャンドル支持装置。
【請求項３】
前記ベース部材は細骨材から構成されると共に、下方に突出して前記食品上に載置若しくは差し込まれる支柱を備えることを特徴とする請求項１又は請求項２のキャンドル支持装置。
【請求項４】
前記ベース部材は、所定の間隔を存して複数形成された係合孔を備え、
前記キャンドル支持部は、前記係合孔に係脱自在に係合する係合ピンと、前記キャンドルが装着される支持ピンとを備えることを特徴とする請求項１、請求項２又は請求項３のキャンドル支持装置。
【請求項５】
前記キャンドル支持部は、前記支持ピンを複数備えることを特徴とする請求項４のキャンドル支持装置。
【請求項６】
前記ベース部材は、単一又は複数組み合わされた状態で、前記食品若しくは当該食品が収納される容器の上側周囲に対応するリング状又は波形リング状を呈することを特徴とする請求項１、請求項２、請求項３、請求項４又は請求項５のキャンドル支持装置。
【発明の詳細な説明】
【技術分野】
【０００１】
本発明は、菓子などの食品の上に当該食品に触れることなくキャンドルを支持することができるキャンドル支持装置に関するものである。
【背景技術】
【０００２】
従来よりこの種キャンドル支持装置は、例えばキャンドル（ろうそく）の頭部にセットされた固形物の一端部に、ライターなどを使って火が点けられることにより、花火成分の無煙火薬等が燃焼を開始し、他端部に火が達するまでの間燃焼させるものがある。この燃焼でキャンドルに設けた炎色剤が炎色反応を起こし、青白い火炎を発生させて美しい火炎と火花とを発生させて、演出効果を向上させられるキャンドルがある（特許文献１）。
【０００３】
一方、誕生パーティや結婚式などではスポンジケーキを台としてクリーム・チョコレート・果物などで飾ったデコレーションケーキなどが用いられている。誕生パーティの場合は誕生日を迎える人の年齢数に合わせた複数のキャンドルをケーキに直接差して、キャンドルに点火することにより演出を盛り上げている。このキャンドルの数は誕生日を迎える人の年齢により異なっている。また、結婚式の披露宴でも大きなウエディングケーキを用い、周囲に多数のキャンドルを差してそれらを灯し演出効果を盛り上げていた。
【０００４】
【特許文献１】特開２０００−１４６４９７号公報
【発明の開示】
【発明が解決しようとする課題】
【０００５】
しかしながら、誕生パーティなどで誕生日を迎える人の年齢数に合わせた複数のキャンドルをケーキに直接差すと、ケーキにキャンドルの穴があいてしまう。このため、キャンドルを抜いた後のケーキの美観が損なわれてしまう問題があった。また、ケーキに直接キャンドルを差しているためケーキは不衛生となってしまう。
【０００６】
また、結婚式の披露宴などでは大きなウエディングケーキの周囲に多数のキャンドルを直接差している。このケーキは披露宴が変わるたびに交換されるため、その都度多数のキャンドルをケーキの周囲に差さなければならない。このため、キャンドルをケーキに差すのに多大な労力を必要とする問題があった。
【課題を解決するための手段】
【０００７】
即ち、本発明のキャンドル支持装置は、菓子等の食品上に載置若しくは差し込み可能なベース部材と、該ベース部材に複数設けられ、それぞれキャンドルを支持可能なキャンドル支持部とを備えて成るものである。
【０００８】
また、請求項２の発明のキャンドル支持装置は、上記に加えて、ベース部材にメッセージ表示部を設けたことを特徴とする。
【０００９】
また、請求項３の発明のキャンドル支持装置は、請求項１又は請求項２において、ベース部材は細骨材から構成されると共に、下方に突出して食品上に載置若しくは差し込まれる支柱を備えることを特徴とする。
【００１０】
は請求項３に加えて、ベース部材は、所定の間隔を存して複数形成された係合孔を備え、キャンドル支持部は、係合孔に係脱自在に係合する係合ピンと、キャンドルが装着される支持ピンとを備えることを特徴とする。
【００１１】
更に、請求項５の発明のキャンドル支持装置は、請求項４において、キャンドル支持部は、支持ピンを複数備えることを特徴とする。
【００１２】
更にまた、請求項６の発明のキャンドル支持装置は、請求項１、請求項２、請求項３、請求項４又は請求項５において、ベース部材は、単一又は複数組み合わされた状態で、食品若しくは当該食品が収納される容器の上側周囲に対応するリング状又は波形リング状を呈することを特徴とする。
【発明の効果】
【００１３】
以上詳述した如く本発明によれば、菓子等の食品上に載置若しくは差し込み可能なベース部材と、該ベース部材に複数設けられ、それぞれキャンドルを支持可能なキャンドル支持部とを備えて成るので、各キャンドル支持部に複数のキャンドルを支持しておけば、例えばスポンジケーキを台としてクリーム・チョコレート・果物などで飾ったデコレーションケーキなどの食品にベース部材を載置するだけで当該食品上に複数のキャンドルを支持できる。これにより、多数のキャンドルを一度に食品の上に支持することができるようになる。従って、パーティ会場のように多数の食品が用意されている場合でも短時間で食品の上に多数のキャンドルを支持することができて、キャンドルを差す労力も大幅に軽減され、キャンドル支持装置の利便性を大幅に向上させることができるようになるものである。
【００１４】
また、請求項２の発明によれば、上記に加えて、ベース部材にメッセージ表示部を設けたので、例えば、誕生パーティなどのお祝い時にはキャンドルとメッセージの双方を食品の上に支持することができる。また、ベース部材にメッセージ表示部を設けたので、例えばメッセージ表示部が大きく豪華なものであっても、倒れることなくベース部材で支持することができる。これにより、誕生パーティなどのお祝い時の豪華な演出効果を醸し出すことが可能となる。従って、キャンドル支持装置の利便性を更に向上させることができるようになるものである。
【００１５】
また、請求項３の発明によれば、請求項１又は請求項２において、ベース部材は細骨材から構成されると共に、下方に突出して食品上に載置若しくは差し込まれる支柱を備えるので、支柱を食品上に載置若しくは差し込むだけで複数のキャンドルを食品上に支持することが可能となる。また、ベース部材を食品上から浮かせて支柱を食品に差せばベース部材が食品に触れてしまうのを防止することができる。これにより、食品にキャンドルが触れることなく複数のキャンドルを支持することができ、ベース部材が食品に当たって食品が変形してしまうのを阻止することが可能となる。従って、キャンドルを取り除いた後、詳しくは、ベース部材を食品上から外した後でも食品の美観を維持することができ、キャンドル支持装置の利便性を大幅に向上させることができるようになるものである。
【００１６】
また、請求項４の発明によれば、請求項１、請求項２又は請求項３に加えて、ベース部材は、所定の間隔を存して複数形成された係合孔を備え、キャンドル支持部は、係合孔に係脱自在に係合する係合ピンと、キャンドルが装着される支持ピンとを備えるので、ベース部材に任意の数のキャンドル支持部を取り付けることができる。これにより、例えば誕生パーティなどのお祝い時に誕生日を迎える人の年齢数に合わせたキャンドルの本数、或いは、パーティ時のケーキなどの食品の大きさに合わせてキャンドルの数を食品の上に支持することができるようになる。従って、年齢数或いはケーキなどの食品の大きさに合わせた数キャンドルを支持することができ、誕生パーティなどのお祝いの演出効果をより一層向上させることができるようになるものである。
【００１７】
また、請求項５の発明によれば、請求項４において、キャンドル支持部は、支持ピンを複数備えるので、一つのキャンドル支持部に複数のキャンドルを支持することができる。これにより、例えば、複数の支持ピンの高さを異なる高さに変えればベース部材に支持した複数のキャンドルを一層豪華に見せることが可能となり、幻想的な演出効果を表現することができるようになる。従って、キャンドル支持装置の利便性を大幅に向上させることができるようになるものである。
【００１８】
また、請求項６の発明によれば、請求項１、請求項２、請求項３、請求項４又は請求項５において、ベース部材は、単一又は複数組み合わされた状態で、食品若しくは当該食品が収納される容器の上側周囲に対応するリング状又は波形リング状を呈するので、例えば、ケーキなどの食品の大きさに合わせて食品周囲にベース部材を載置することができる。これにより、小さな外径の食品から大きな外径の食品まで食品周囲にベース部材を載置しキャンドルを支持することができる。従って、キャンドル支持装置の汎用性も高まり、キャンドル支持装置の利便性を極めて向上させることができるようになるものである。
【発明を実施するための最良の形態】
【００１９】
本発明は、キャンドルを直接食品に差すことにより食品の美観を損ねてしまうのを防止し、且つ、食品の周囲に多数のキャンドルを差す労力を軽減することを特徴とする。食品の美観を向上と、多数のキャンドルを差す労力を食品の上にベース部材を載置するだけの簡単な作業で実現した。
【実施例１】
【００２０】
次に、図面に基づき本発明の実施形態を詳述する。図１は本発明のキャンドル支持装置１０の斜視図、図２は本発明のキャンドル支持装置１０を構成するベース部材１１の側面図、図３は本発明のキャンドル支持装置１０を構成するキャンドル支持部１７の正面図をそれぞれ示している。
【００２１】
図中１０はキャンドル支持装置、１１は断面四角或いは丸状の直径約５ｍｍ〜１０ｍｍの細骨材からなるベース部材、１５は「お誕生日おめでとう」などのお祝いメッセージを表示するためのメッセージ表示部、１７はキャンドル２１を支持するキャンドル支持部である。ベース部材１１は例えばケーキ、フライドチキンバスケット、広くはカツ丼や寿司、ラーメンなどなどの食品（以降食品と称す）が収納される容器の上側周囲に対応するリング状や波形リング状、他に円形、変形楕円形、多角形なども有効である。
【００２２】
１２は接続片でベース部材１１に複数箇所接続され、ベース部材１１の変形を防止する。１３は係合孔でベース部材１１の上下面を貫通して設けられ、前記キャンドル支持部１７の下方に延在する係合ピン１８を差し込める穴形状を呈している（図２）。１４は支柱で接続片１２の下方に所定寸法延在し、下方先端が尖っていて食品に容易に差さる棒状の形状を呈している。
【００２３】
ベース部材１１は合成樹脂にて成形された成型品で支柱１４及び接続片１２と一体に成形される。支柱１４はベース部材１１の下方に突出して延在し食品上に載置若しくは差し込まれる。また、支柱１４は食品に触れさせず食品の周囲に立設させることもできる。この場合は、各支柱１４を食品の周囲になる位置にベース部材１１に取り付け、ベース部材１１が食品に触れない長さに各支柱１４の長さを設定すれば良い。
【００２４】
１８は係合ピンでキャンドル支持部１７の下方に延在して設けられ、ベース部材１１に設けた係合孔１３に係脱自在に係合可能な棒状の形状を呈している（図３）。１９は支持ピンでこの支持ピン１９はキャンドル２１の下方に設けられた穴に挿入できる棒状の形状を呈している。２０は灯ったキャンドル２１の熱で溶け流れた液が食品上に垂れてしまうのを防止するための受け皿。この受け皿２０はキャンドル２１より僅か大きいお椀形状に形成され、これによりキャンドル２１が溶けて垂れても食品上に垂れ、食品が不衛生になってしまうのを阻止している。
【００２５】
係るベース部材１１に所定の間隔で設けられた、所定の位置の係合孔１３にキャンドル支持部１７の係合ピン１８が挿入されることにより、キャンドル支持部１７がベース部材１１の所定位置に係合される（図４）。この時キャンドル支持部１７は前述したように略食品周囲の大きさに合わせ、食品がキャンドル２１によって好適な演出効果を醸し出すことができる所定の位置に係合する。尚、メッセージ表示部１５もキャンドル支持部１７同様ベース部材１１に着脱自在に設けても良い。
【００２６】
次に、キャンドル２１の下方に設けられた穴にキャンドル支持部１７の上方に延在する支持ピン１９が挿入される。これにより、ベース部材１１の所定の位置にキャンドル２１を支持する。尚、ベース部材１１へのキャンドル２１の支持はベース部材１１の各支柱１４を食品の上から差した後でも、予めベース部材１１の所定の位置にキャンドル２１を支持した後、ベース部材１１の各支柱１４を食品の上から差して取り付けても差し支えない。また、ベース部材１１の係合孔１３位置に直接支持ピン１９を設けても良い、この場合、キャンドル支持部１７が不要となりキャンドル支持装置１０のコストを低減できる。
【００２７】
また、ベース部材１１の各支柱１４を食品の上から差す場合ベース部材１１が食品に当たらないように少し浮かせば、食品にベース部材１１が当たらず衛生的になる。また、食品がベース部材１１で押され変形しないので美観を損ねることがない。特に、ベース部材１１に所定の間隔を存して複数形成された係合孔１３にはキャンドル支持部１７を係脱自在に係合できるので、キャンドル２１数が多すぎる場合にはキャンドル支持部１７を間引き本数を調整することができる。これにより、ケーキなどの食品の見栄えを向上させることができる。
【実施例２】
【００２８】
次に、キャンドル支持部１７の他の例を図５を例に説明する。このキャンドル支持部１７は支持ピン１９を複数（この場合３箇所）有している。複数の支持ピン１９はそれぞれ接続桟１８Ａを介して係合ピン１８の上縁に接続される。支持ピン１９下部には前述同様受け皿２０が設けられる。これにより、一つのキャンドル支持部１７に複数のキャンドル２１を支持することができるので食品を一層豪華に見せることが可能となる。尚、係合ピン１８は３箇所に限らず、２箇所或いは３箇所以上設けても差し支えない。また、キャンドル支持部１７に支持ピン１９を３箇所設けたが２箇所或いは３箇所以上設けても差し支えない。
【実施例３】
【００２９】
次に、ベース部材１１の他の例を図６を例に説明する。この場合、ベース部材１１は、特に複数段重ねられたウエディングケーキやデコレーションケーキなどの食品の下段周囲にキャンドル支持装置１０を設置する場合使用するもので、複数組み合わせた状態で食品周囲に載置若しくは差し込み可能に構成されている。即ち、キャンドル支持装置１０は前述のキャンドル支持装置１０を複数に分割したもので、好ましくは２分割される。尚、ベース部材１１は、単一又は複数組み合わされた状態で、食品若しくは当該食品が収納される容器の上側周囲に対応するリング状又は波形リング状を呈している。これにより、食品の大きさに合わせ食品周囲にベース部材１１を設置しキャンドル２１を支持できる。
【００３０】
尚、実施例ではベース部材１１を合成樹脂で説明したが、ベース部材１１は合成樹脂に限らず可撓性のアルミニウム或いは鉄などの金属にて構成しても差し支えない。この場合、ベース部材１１を食品の形状に沿って湾曲或いは折曲させることができ、食品に対するキャンドル２１を良好な位置に調整することができる。これにより、食品の美観を大幅に向上させることができるようになるものである。
【図面の簡単な説明】
【００３１】
【図１】本発明のキャンドル支持装置の斜視図である。（実施例１）
【図２】本発明のキャンドル支持装置を構成するベース部材の側面図である。
【図３】本発明のキャンドル支持装置を構成するキャンドル支持部の正面図である。
【図４】キャンドルをベース部材に支持する状態を示す図である。
【図５】もう一つのキャンドル支持部の側面図である。（実施例２）
【図６】もう一つのベース部材の斜視図である。（実施例３）
【符号の説明】
【００３２】
１０  キャンドル支持装置
１１  ベース部材
１３  係合孔
１４  支柱
１５  メッセージ表示部
１７  キャンドル支持部
１８  係合ピン
１９  支持ピン
２１  キャンドル
【図１】
2005056691.tif 000003
【図２】
2005056691.tif 000004
【図３】
2005056691.tif 000005
【図４】
2005056691.tif 000006
【図５】
2005056691.tif 000007
【図６】
2005056691.tif 000008